(57)【要約】【課題】屋上スラブ形成前に配筋内に設置する際にも、また既存の屋上スラブ上に設置する際にも、ＪＡＳＳ８の基準に準拠する防水施工を容易に行え、更に防水層（防水シート）保護板を設置可能にした屋上スラブ貫通ユニットを提供する。【解決手段】本発明にかかる屋上スラブ貫通ユニット１は、上部２ａおよび下部２ｂが開口された下部ユニット２と、前記下部ユニット２の上に設置される、上部３ａおよび下部３ｂに開口された中間ユニット３と、前記中間ユニット上部３ａの前記開口を塞ぐ上部ユニット４と、を備え、前記下部ユニット２の側壁２ｃの下端から内方に、前記側壁２ｃに対して直角に延設された脚部２ｄを有することを特徴としている。【選択図】図２
2018087444.tif 000002
【特許請求の範囲】
【請求項１】
上部および下部が開口された下部ユニットと、
前記下部ユニットの上に設置される、上部および下部が開口された中間ユニットと、
前記中間ユニット上部の前記開口を塞ぐ上部ユニットと、
を備え、
前記下部ユニットの側壁の下端から内方に、前記側壁に対して直角に延設された脚部を有することを特徴とする屋上スラブ貫通ユニット。
【請求項２】
前記下部ユニットの側壁の内面の周方向に、所定の間隔をもって、前記側壁の上下方向に延設された複数のリブを備えることを特徴とする請求項１記載の屋上スラブ貫通ユニット。
【請求項３】
前記下部ユニットは、
前記下部ユニットの側壁の内面の周方向に、所定の間隔をもって、前記脚部の上面から側壁の上端まで延設された、複数のリブと、
前記リブのうち少なくとも複数のリブの上部に設けられた固定部と、
を備え、
前記中間ユニットは、
中間ユニット側壁の下端から内側に延設された脚部と、
前記脚部に設けられた、前記固定部に固定される被固定部と、
を備えることを特徴とする請求項１記載の屋上スラブ貫通ユニット。
【請求項４】
更に、前記中間ユニットは、前記側壁の下端から外側に延設された鍔を備えることを請求項３記載の屋上スラブ貫通ユニット。
【請求項５】
前記中間ユニットの鍔の下面には、防水層保護板が装着される凹部を備えることを特徴とする請求項４記載の屋上スラブ貫通ユニット。
【請求項６】
前記下部ユニットは、
前記下部ユニットの側壁の上端から外側に延設された鍔と、
前記下部ユニットの側壁の内面の周方向に、所定の間隔をもって、前記脚部の上面から側壁の上端まで延設された、複数のリブと、
前記鍔に設けられた固定部と、
を備え、
前記中間ユニットは、
前記側壁の下端から外側に延設された鍔と、前記鍔に設けられた、前記固定部に連結される被固定部と、
を備えることを請求項１記載の屋上スラブ貫通ユニット。
【請求項７】
前記下部ユニット、前記中間ユニット、前記上部ユニットのうち、少なくとも下部ユニットが、骨材及び有機質系混和剤を含むコンクリート、あるいは繊維を混入した繊維補強コンクリートからなることを特徴とする請求項１乃至請求項５のいずれかに記載の屋上スラブ貫通ユニット。
【発明の詳細な説明】
【技術分野】
【０００１】
本発明は屋上スラブ貫通ユニットに関し、例えば、建築物内部の配管や配線を屋上スラブの貫通路を通して屋上に取り出す際に、屋上に設置して用いられる屋上スラブ貫通ユニットに関する。
【背景技術】
【０００２】
マンション、ビルなどの建築物には、建築物内部と屋上とを結ぶ配管、配線等が設置される。例えば、エアコンなどの空調装置を取り付ける際には、室内機が建築物内部に、一方室外機が建築物の屋上に設置され、前記室内機と前記室外機が配管で連結される。
そのため、前記建築物の屋上スラブには、建築物内部から屋上に配管を取り出すための貫通路（取出口）が設けられると共に、前記貫通路から建築物内部に雨水が浸入しないように、例えば、特許文献１，２に示すような、前記貫通路を覆う屋上スラブ貫通ユニットが設けられている。
【０００３】
この屋上スラブ貫通ユニットについて、特許文献１に示された屋上配管取出し用箱体を例にとって、図１２、図１３に基づいて説明する。
この屋上配管取出し用箱体１００は、屋上スラブに設置されるコンクリート製の下部枠体１０１と、前記コンクリート製の下部枠体１０１に取り付けられる上部枠体１０２と、前記上部枠体１０２の上面に取り付けられる蓋材１０３とを備えている。
【０００４】
前記下部枠体１０１には、断面矩形枠状の本体の下端縁から外側に突出するフランジ部１０１ａが形成され、前記フランジ部１０１ａには、スラブに据付時の支持金具（図示せず）取り付け用として使用する透孔１０１ｂが設けられている。
また、前記下部枠体１０１の上面には、図１３に示すように、上端縁から内側に突出して形成された第１の連結部１０１ｃが形成されている。この第１の連結部１０１ｃには、ネジ孔部１０１ｄが形成されている。
【０００５】
また、上部枠体１０２は下部枠体１０１の外寸よりやや大きく形成され、上部枠体１０２の下部に、内側に延設された連結部１０２ａが形成されている。前記連結部１０２ａには、ボルト挿通孔１０２ｂが設けられている。
そして、下部枠体１０１の上部が、上部枠体１０２の下部内に収容され、ボルト挿通孔１０２ｂを挿通したボルトを、ネジ孔部１０１ｄに螺着することによって、上部枠体１０２と下部枠体１０１は連結される。
【０００６】
また、上部枠体１０２の上部には、外側に延設された第２の連結部１０２ｃが形成されている。前記第２の連結部１０２ｃには、ボルト挿通孔１０２ｄが設けられている。
尚、上部枠体１０２の側面には、図示しないが配管を外部に導出するための貫通孔が形成されている。
【０００７】
また、蓋材１０３にはボルト挿通孔１０３ａが形成されている。
前記蓋体１０３を上部枠体１０２に載置し、ボルト（図示せず）をボルト挿通孔１０３ａ，１０２ｄに挿通し、ナット（図示せず）で螺着することによって、前記蓋体１０３は上部枠体１０２に連結される。
【０００８】
このように構成された屋上配管取出箱１００の設置について説明する。
屋上スラブの配筋後、下部枠体１０１を屋上スラブ配筋上の貫通路を囲み覆うようにして配置し、その際、透孔１０１ｂに固定された支持金具（図示せず）をスラブ型枠に釘止め固定する。
次に、下部枠体１０１の第１の連結部１０１ｃ上に上部枠体１０２の第２の連結部１０２ａを重ねるようにして載せ、締付けボルトを、ボルト挿通孔１０２ｂを介してネジ孔部１０１ｄに螺着させ、下部枠体１０１と上部枠体１０２を連結する。
【０００９】
そして、屋上スラブの貫通路を通過してきた配管をエルボ等で屈曲させ、上部枠体１０２の貫通孔から外部に取り出す。その後、上部枠体１０２に蓋体１０３を被せ、双方に設けたボルト挿通孔１０３ａ，１０２ｄに締付けボルト（図示せず）を挿通し、ナット（図示せず）で締め付けて固定する。
【００１０】
また、一般的に、前記下部枠体１０１の側壁及び下端縁のフランジ部１０１ａには防水シート（アスファルト防水層）が設置され、雨水の浸入が防止される。
この防水シートは、図１２に仮想線で示すように、前記下部枠体１０１の長辺に対応した第１の防水シート１０４ａと、短辺に対応した第２の防水シート１０４ｂと、角部に対応した第３の防水シート１０４ｃとから構成される。
そして、夫々の防水シート１０４ａ、１０４ｂ、１０４ｃを、図１３に示すように、下部枠体１０１の側壁から屋上スラブの間に設置することにより、フランジ部１０１ａと屋上スラブとの間の防水処理が施される。
【先行技術文献】
【特許文献】
【００１１】
【特許文献１】特開２０１５−１４１７８号公報
【特許文献２】特開２０１５−７８７４６号公報
【発明の概要】
【発明が解決しようとする課題】
【００１２】
ところで、建築物の施工に関しては、日本建築学会によって建築工事標準仕様書（Japanese Architectural Standard Specification：以下、ＪＡＳＳという）が制定されている。
この建築工事標準仕様書には、屋上、屋根における防水工事についてＪＡＳＳ８（建築工事標準仕様書第８章）に規定されており、防水シート（例えば、改質アスファルトシート、合成高分子系シート）を用いて、屋上スラブ貫通ユニットの防水施工する場合、前記下部枠体１０１（下部ユニット）の形状は入隅が直角であることが要求されている。尚、この入隅とは、立上りの面と水平の面が出会ってできる凹状の連続線をいう。
【００１３】
従来の屋上配管取出し用箱体１００にあっては、図１３に示すようｊに、下部枠体１０１の側壁とフランジ部１０１ａとが出会ってできる凹状の部分は曲面Ｒとなるため、ＪＡＳＳ８で規定される入隅は、直角とはならない。
入隅部の直角に関するＪＡＳＳ８の基準を満たすためには、スラブ埋設量を増やし、フランジ部１０１aをスラブ内に埋め込むことで直角とすることが可能であるが、作業が複雑化すること、立上り高さが十分に確保することが困難になることが懸念される。
【００１４】
また、従来の屋上配管取出し用箱体１００にあっては、フランジ部１０１ａが形成されているため、既存の屋上スラブ面に設置する際、屋上スラブ面とフランジ部１０１ａの上面との間に段差が生じる。
そのため、屋上スラブ面からフランジ部、下部枠体１０１（下部ユニット）の間において、防水シートを隙間なく施工する作業は複雑であった。
【００１５】
また、防水層（防水シート）の外側に、直射日光による劣化や浮きから防水層を保護し美観を維持するための保護板を設置するのが望ましいが、従来の屋上配管取出し用箱体１００にあっては、フランジ部１０１ａが形成されているため、前記防水層の保護板を設置するスペースがなく、その設置が困難であった。
【００１６】
本発明は、上記技術的課題を解決するためになされたものであり、屋上スラブ形成前に配筋内に設置する際にも、また既存の屋上スラブ上に設置する際にも、ＪＡＳＳ８の基準に準拠する防水施工を容易に行え、更に防水層（防水シート）保護板を設置可能にした屋上スラブ貫通ユニットを提供することを目的とする。
【課題を解決するための手段】
【００１７】
上記目的を達成するためになされた本発明にかかる屋上スラブ貫通ユニットは、上部および下部が開口された下部ユニットと、前記下部ユニットの上に設置される、上部および下部が開口された中間ユニットと、前記中間ユニット上部の前記開口を塞ぐ上部ユニットと、を備え、前記下部ユニットの側壁の下端から内方に、前記側壁に対して直角に延設された脚部を有することを特徴としている。
尚、前記直角は、必ずしも正確な９０度を意味するものではなく、略９０度に形成されていれば良い。例えば、加工上、側壁と脚部との隅部が面取りなされ場合がある。また金型で成形する場合には、脱型のため、側壁あるいは脚部に抜き勾配（抜き角）が設けられる。前記直角はこれらの場合も含む範囲の角度である。
【００１８】
このように、本発明にかかる屋上スラブ貫通ユニットは、前記下部ユニットの側壁の下端から内方に、前記側壁に対して直角に延設された脚部を有するため、入隅が直角となり、前記したＪＡＳＳ８の基準を複雑な作業が発生せずに満たすことができる。
また、本発明にかかる屋上スラブ貫通ユニットにあっては、従来の屋上配管取出し用箱体のようにフランジ部が形成されていないため、屋上スラブ面とフランジ部の上面との間の段差がなく、既存の屋上スラブ面に設置する際にも、防水シートの施工作業を容易に行うことができる。
また、従来の屋上配管取出し用箱体のようにフランジ部が形成されていないため、下部ユニットの側壁の外側に防水層（防水シート）を保護する保護板を設置するスペースがあり、必要に応じて、その設置を容易に行うことができる。
【００１９】
ここで、前記下部ユニットの側壁の内面の周方向に、所定の間隔をもって、前記側壁の上下方向に延設された複数のリブを備えることが望ましい。
このように、前記下部ユニットの側壁の内周面に複数のリブを備えているため、下部ユニットの機械的強度を向上させることができる。即ち、複数のリブにより有効断面積が増加するため、耐水圧性、せん断耐力等を向上させることができる。
【００２０】
また、前記下部ユニットは、前記下部ユニットの側壁の内面の周方向に、所定の間隔をもって、前記脚部の上面から側壁の上端まで延設された、複数のリブと、前記リブのうち少なくとも複数のリブの上部に設けられた固定部と、を備え、前記中間ユニットは、中間ユニット側壁の下端から内側に延設された脚部と、前記脚部に設けられた、前記固定部に固定される被固定部と、を備えることが望ましい。
このように、前記下部ユニットのリブに設けられた固定部と、前記中間ユニットの脚部に設けられた被固定部によって、中間ユニットは下部ユニットに固定（連結）される。
【００２１】
更に、前記中間ユニットは、前記側壁の下端から外側に延設された鍔を備えることが望ましい。
このように、中間ユニットの側壁の下端に、外側に延設された鍔を備えているため、前記下部ユニットと中間ユニットの接合面から雨水が浸入するのを抑制することができる。
【００２２】
また、前記中間ユニットの鍔の下面には、防水層保護板が装着される凹部を備えることが望ましい。
このように、中間ユニットの鍔の下面に凹部を有しているため、防水層を保護するための防水層保護板を容易に装着することができる。
【００２３】
また、前記下部ユニットは、前記下部ユニットの側壁の上端から外側に延設された鍔と、前記下部ユニットの側壁の内面の周方向に、所定の間隔をもって、前記脚部の上面から側壁の上端まで延設された、複数のリブと、前記鍔に設けられた固定部と、を備え、前記中間ユニットは、前記側壁の下端から外側に延設された鍔と、前記鍔に設けられた、前記固定部に連結される被固定部と、を備えることが望ましい。
この場合には、前記下部ユニットの鍔に設けられた固定部と、前記中間ユニットの鍔に設けられた被固定部によって、中間ユニットは下部ユニットに固定（連結）される。
【００２４】
また、前記下部ユニット、前記中間ユニット、前記上部ユニットのうち、少なくとも下部ユニットが、骨材及び有機質系混和剤を含むコンクリート、あるいは繊維を混入した繊維補強コンクリートからなることが、周辺部材との熱膨張率等の物性差が少ないこと及びコスト抑制の面で望ましい。
【発明の効果】
【００２５】
本発明によれば、屋上スラブ形成前に配筋内に設置する際にも、また既存の屋上スラブ上に設置する際にも、ＪＡＳＳ８の基準に準拠する防水施工を容易に行え、更に防水層（防水シート）保護板を設置可能にする屋上スラブ貫通ユニットを得ることができる。
【図面の簡単な説明】
【００２６】
【図１】図１は、本発明の第１の実施形態にかかる屋上スラブ貫通ユニットを示す概略図であり、（ａ）は、屋上スラブ貫通ユニットの概略斜視図、（ｂ）は、下部ユニットの概略斜視図である。
【図２】図２は、図１に示す第１の実施形態にかかる屋上スラブ貫通ユニットの設置状態における半断面図である。
【図３】図３は、図２に示した下部ユニットの部分断面図である。
【図４】図４は、図２に示した下部ユニットと中間ユニットの接合面部分の断面図である。
【図５】図５は、図１に示す下部ユニットの平面図である。
【図６】図６は、第１の実施形態に配管を配置した状態を示す断面図である。
【図７】図７は、第２の実施形態を示す半断面図である。
【図８】図８は、図７に示した中間ユニットの部分断面図である。
【図９】図９は、本発明の第３の実施形態にかかる屋上スラブ貫通ユニットを示す概略を示す、断面図である。
【図１０】図１０は、第４の実施形態を示す半断面図である。
【図１１】図１１は、第５の実施形態を示す半断面図である。
【図１２】図１２は、従来の屋上スラブ貫通ユニットを示す斜視図である。
【図１３】図１３は、図１２の断面図である。
【発明を実施するための形態】
【００２７】
（第１の実施形態）
本発明にかかる屋上スラブ貫通ユニットの第１の実施形態について、図１乃至図６に基づいて説明する。
図１、図２に示すように、屋上スラブ貫通ユニット１は、上部２ａおよび下部２ｂが開口された下部ユニット２と、前記下部ユニット２の上に設置される、上部３ａおよび下部３ｂが開口された中間ユニット３と、前記中間ユニット３の上面を塞ぐ上部ユニット４とを備えている。
【００２８】
また、下部ユニット２は、側壁２ｃの下端から内側に延設された脚部２ｄを有している。この脚部２ｄは、側壁２ｃの下端に対して直角に形成されている。
尚、前記直角は、前記したように、必ずしも正確な９０度（幾何学的な直角）を意味するものではなく、加工、製作上、必要な角度範囲を有するものであり、略９０度に形成されていれば良い。
【００２９】
前記下部ユニット２の下部２ｂの開口は、前記脚部２ｄの内周面２ｄ１によって形成される。また、この脚部２ｄの内周面２ｄ１は、屋上スラブ６０に設けられた貫通路Ｔの外周と一致する寸法形状に形成されている。
【００３０】
また図３、図５に示すように、下部ユニット２の脚部２ｄには、複数の貫通孔２ｅが設けられている。これらの貫通孔２ｅにボルト５１を挿通し、レベルアンカー５０にボルト５１を螺着することにより、前記屋上スラブ貫通ユニット１は屋上スラブ６０に固定される。尚、前記屋上スラブ６０は、例えば、コンクリートによって形成されている。
【００３１】
このように、屋上スラブ貫通ユニット１は、前記下部ユニット２の側壁２ｃの下端から内方に、前記側壁２ｃに対して直角に延設された脚部２ｄを有するため、屋上スラブ貫通ユニット１（下部ユニット２）の入隅は直角となり、前記したＪＡＳＳ８の基準を満たすものである。
【００３２】
また、図１、図２、図５に示すように、前記下部ユニット２の側壁２ｃの内面の周方向に、所定の間隔をもって、複数のリブ２ｆが形成されている。このリブ２ｆは、前記脚部２ｄの上面から側壁２ｃの上端まで延設されている。
また、このリブの幅２ｆ１は、図５に示すように前記リブ２ｆ間の凹部の幅２ｆ２より小さくても良く、あるいは前記凹部２ｆ２の幅より大きくても良い。
【００３３】
尚、このリブ２ｆの断面形状は、平面視上、半円形状、角丸形状、矩形形状、台形形状のいずれでも良い。好ましくは、図５に示すようにリブ２ｆの断面形状が台形形状で、側壁２ｃの下から上方向に向かって細くなるもの（断面形状が小さくなる）が、型製作がし易く、型から抜き取り易いため、好ましい。
【００３４】
このように、前記下部ユニット２の側壁２ｃの内面に、前記複数のリブ２ｆ設けることにより、下部ユニット２の機械的強度を向上させることができる。即ち、複数のリブ２ｆにより有効断面積が増加するため、下部ユニット２の耐水圧性、せん断耐力等を向上させることができる。
【００３５】
前記リブ２ｆのうち少なくとも複数のリブ２ｆの上部には、インサートナット２ｇが設けられている。
このインサートナット２ｇは、内周面に雌ネジが形成された円筒状体を、下部ユニット２の形成時に埋設（インサート成形）することによって設けられる。前記インサートナット２ｇは樹脂あるいは金属により形成される。
尚、前記インサートナット２ｇを設ける以外にも、複数のリブ２ｆの上部にボルトを埋設（インサート成形）する構成を採用しても良い。また、１個のリブ２ｆの上部に設けられるインサートナット２ｇあるいは前記ボルトは１個でも良く、また複数個設けても良い。
【００３６】
また、前記下部ユニット２はコンクリートの材料によって成形される。
このコンクリートの材料としては、一般的なセメントと砂利等の骨材及び有機質系混和剤（アクリル系エマルジョン、減水剤、高分子増粘剤等）からなるもの、また有機質系繊維（ポリオレフィン系繊維、ビニル系繊維等）や無機質系繊維（ガラス繊維、ロックウール等）を混入して補強した繊維補強コンクリート等が挙げられる。
また、前記下部ユニット２の材料として、ガラス繊維などの繊維をプラスチックの中に入れて強度を向上させた複合材料であるＦＲＰを用いても良い。
【００３７】
また、前記下部ユニット２の下部には、前記したように脚部２ｄが設けられているが、前記下部ユニット２の上部には、従来の屋上配管取出し用箱体における第１の連結部１０１ｃのような、内方へ延設される連結部（張出し部）は設けられていない。
下部ユニット２の上部及び下部に、同一方向（内方）に延びる張出し部、脚部２ｄを設けることは、コンクリート材料等によって成形する場合には、型の形状、成形工程を複雑にするため、好ましくない。
【００３８】
前記中間ユニット３は、図２乃至図４に示すように、側壁３ｃと、前記側壁３ｃの下端から内側に延設された脚部３ｄとを備えている。また、この側壁３ｃは下部ユニット２の側壁２ｃ上に位置するように寸法、形状に形成されている。
このように、中間ユニット３の側壁３ｃが下部ユニット２の側壁２ｃ上に位置することにより、中間ユニット３からの荷重が下部ユニット２の側壁２ｃに作用するが、前記下部ユニット２には、前記したようにリブ２ｆが設けられているため、その荷重に十分耐え得るように構成される。
【００３９】
また、前記脚部３ｄには、図３、図４に示すように、ボルトＢが挿通する貫通孔３ｅが形成されている。したがって、中間ユニット３側からボルトＢを貫通孔３ｅに挿通し、インサートナット２ｇに螺着させ、下部ユニット２に中間ユニット３を連結（固定）する。
尚、複数のリブ２ｆの上部にボルト（インサートボルト）を設けた場合には、前記貫通孔３ｅに前記ボルトを挿通させ、中間ユニット３側から前記ボルトにナットを螺着させ、下部ユニット２に中間ユニット３を連結（固定）する。
【００４０】
前記中間ユニット３の側壁下部には、鍔３ｆが形成されている。この鍔３ｆは、下部ユニット２の上部側に張り出し、下部ユニット２と中間ユニット３との接合面Ｓ（下部ユニット２と中間ユニット３とが接している面）を覆うように形成されている。
このように、鍔３ｆが下部ユニット２と中間ユニット３との接合面Ｓを覆うことにより、前記接合面Ｓからの雨水の浸入を抑制することができる。
【００４１】
また、中間ユニット３の側壁３ｃの上部には、図２に示すように、外側に延設された鍔３ｇを有している。この鍔３ｇには、上部ユニット４を固定するためにネジ孔３ｇ１が設けられている。
尚、前記中間ユニット３は、前記下部ユニット２と同様の材料のみならず、軽量コンクリートや軽量気泡コンクリートなどによって形成することができる。
【００４２】
また、前記上部ユニット４は、図１、図２に示すように、中間ユニット３の上部３ａの開口を閉塞ぐ部材であって、平面視上、矩形形状に形成され、その外周囲に貫通孔４ｂが設けられている。
そして、ネジ４ａが上部ユニット４の貫通孔４ｂを挿通し、前記ネジ孔３ｇ１にネジ４ａが螺合することにより、前記上部ユニット４は、中間ユニット３に取り付けられる（固定される）。
【００４３】
前記上部ユニット４は、各種鋼材のような金属の他、ガラス繊維などの繊維をプラスチックの中に入れて強度を向上させた複合材料であるＦＲＰを用いることができる。
尚、下部ユニット２、中間ユニット３、上部ユニット４を、例えば、ＦＲＰのような同一材料を用いて形成してもよく、また、例えば下部ユニット２をコンクリート材料で形成し、前記中間ユニット３、上部ユニット４をＦＲＰ材料で形成する場合のように、下部ユニット２、中間ユニット３、上部ユニット４を異なる材料で形成しても良い。
【００４４】
更に、図４に示すように、下部ユニット２の側壁２ｃには、防水シート５Ａと前記防水シート５Ａの裏面に形成された接着層５Ｂからなる防水層５が設けられる。
尚、この防水層５を形成するにはトーチ工法、常温粘着工法に限らず、防水シート（改質アスファルトシート［非露出複層防水用］）を使用し、防水工事用アスファルトを熱で溶解し、防水シートを張り付けていく「熱工法」を用いても良い。
この防水層５を設けることにより、下部ユニット２がコンクリート材料で形成されている場合にも雨水の浸み込みを防止することができる。
この防水層５は、押さえ部材６によって側壁２ｃに押さえ付けられ、下部ユニット２の側壁２ｃの上端部において、取付け具７ａを介してビス７ｂにより取り付けられる。前記取付け具７ａとしては、Ｌ字状のステンレスアングルが用いられる。
【００４５】
また、前記下部ユニット２の側壁２ｃの上端部の防水層５と、鍔３ｆとの間には充填層８が設けられている。この充填層８としては、例えば、ガムシールが用いられる。このように充填層８を設けることにより、下部ユニット２と中間ユニット３との接合面Ｓの防水性を高めることができる。
【００４６】
また、屋上スラブ６０の表面から下部ユニット２の側壁２ｃの外面に沿って、側壁２ｃの上端部まで防水層５を設ける際に、屋上スラブ６０と側壁２ｃのとの境界部分が略直角であるため、境界部分に隙間ができ、防水機能が弱まる虞がある。
この防水機能低下を抑制するために、図２、図３に示すように、前記モルタル９が設けられている。この場合には、防水シート（改質アスファルトシート［非露出複層防水用］）を使用し、防水工事用アスファルトを熱で溶解し、防水シートを張り付けていく「熱工法」を用いることにより、ＪＡＳＳ８の基準を満たす。
【００４７】
また、屋上スラブ６０の上の防水層５の上面に、前記防水層５と密着するように、例えば、断熱材１０が設けられている。
更に、前記断熱材１０の上面には、例えば、シンダーコンクリートからなる保護コンクリート１１が形成されている。更に、前記保護コンクリート１１と防水層５の間には、成形緩衝材１２が設けられている。
尚、前記断熱材１０としては、例えば、樹脂発泡断熱材ボード、無機粉体混合樹脂発泡断熱ボード、無機繊維混合樹脂発泡断熱ボード、発泡ゴムシート、発泡ケイ酸カルシウムボード、発泡スチロールビーズ含有モルタルなどの材質のものを用いることができる。
【００４８】
また図６に示すように、配管１６が下方に向くように、中間ユニット２に配管１６の貫通孔３ｈ設けることより、配管１６に付着した雨水や内部に結露した水が自然流下し、屋上スラブ貫通ユニット１内に侵入するのを防止することができる。
【００４９】
（第２の実施形態）
次に、前記第２の実施形態について図７乃至図８に基づいて説明する。尚、図１乃至図６に示した部材と同一、相当する部材は、同一符号を付してその詳細な説明を省略する。
この実施形態は、下部ユニット２の周囲を囲むように、防水層５を保護する防水層保護板１４を設けた点に特徴がある。
この防水層保護板１４は、中間ユニット３の鍔３ｆの下面に設けられた凹部３ｆ１と、前記保護コンクリート１１上に設けられた、凹部を有する固定金具１５によって取り付けられている。
【００５０】
したがって、この防水層保護板１４は、前記凹部３ｆ１と固定金具１５とによって立設状態になされ、かつ前記下部ユニット２の周囲を取り囲むことにより、下部ユニット２に設けられた防水層５を保護することができる。
尚、下部ユニット２の周囲（側面）を囲むように設けられた４個の防水層保護板１４間（図示せず）、防水層保護板１４と凹部３ｆ１間、防水層保護板１４と固定金具１５の間に、充填層８を形成し、密閉性（シール性）を高めるのが良い。
【００５１】
この防水層保護板１４は、コンクリートの材料によって成形することによって形成される。このコンクリートの材料としては、前記下部ユニット２と同様な材料、即ち一般的なセメントと砂利等の骨材及び有機質系混和剤（アクリル系エマルジョン、減水剤、高分子増粘剤等）からなるもの、また有機質系繊維（ポリオレフィン系繊維、ビニル系繊維等）や無機質系繊維（ガラス繊維、ロックウール等）を混入して補強した繊維補強コンクリート等を用いることができる。
また、前記防水層保護板１４の材料として、ガラス繊維などの繊維をプラスチックの中に入れて強度を向上させた複合材料であるＦＲＰを用いても良い。
【００５２】
（第３の実施形態）
次に、本発明にかかる屋上スラブ貫通ユニットの第３の実施形態を図９に基づいて説明する。尚、図１乃至図６に示した部材と同一、相当する部材は、同一符号を付してその詳細な説明を省略する。
この第３実施形態にかかる屋上スラブ貫通ユニット２０は、下部ユニット２１の側壁２１ａの下端から内側に延設された脚部２１ｂと、前記下部ユニット２１の側壁２１ａの上端から外側に延設された鍔２１ｃと、鍔２１ｃに設けられたボルトＢが螺合するネジ孔２１ｃ１と、を備える点に特徴がある。
【００５３】
このように、脚部２１ｂと鍔２１ｃとが、側壁２１ａに対して内側と外側の相反する方向に形成されているため、下部ユニット２１をコンクリート材料によって成形する際にも、型の形状、成形工程を複雑にすることなく、成形することができる。
尚、この第３の実施形態にあっては、第１の実施形態で示したリブ２ｆは設けられていない。そのため、図示しないが、下部ユニット２１の機械的強度を高めるために、側壁２１ａの肉厚が下端から上端に向かって徐々に小さくなくように形成しても良い。
【００５４】
また、中間ユニット２２は、前記側壁２２ａの下端から外側に延設された第１の鍔２２ｂと、前記第１の鍔２２ｂに形成された、貫通孔２２ｃ１を有する固定部２２ｃを備えている点に特徴がある。尚、前記固定部２２ｃの上面は平面に形成され、締め付けた際のボルトＢの傾きを防止している。
【００５５】
また、中間ユニット２２は、前記側壁２２ａの上端から外側に延設された第２の鍔２２ｄと、前記第２の鍔２２ｄに形成された、ネジ孔２２ｅ１を有する固定部２２ｅを備えている。また、上部ユニット２３は、貫通孔２３ｂを有する被固定部２３ａを備え、前記貫通孔２３ｂは、平面視上、外周方向に延びる長円状に形成されている。
このように、前記貫通孔２３ｂが平面視上、外周方向に延びる長円状に形成されているため、前記貫通孔２３ｂとネジ孔２２ｅ１が位置づれした場合にも、上部ユニット２３を中間ユニット２２に対して容易に連結（固定）することができる。
【００５６】
尚、下部ユニット２１と中間ユニット２２との接合面Ｓに、段部Ｓ１を形成することにより、屋上スラブ貫通ユニット２０内部への水の浸入をより抑制することができる。
【００５７】
この第３の実施形態にあっても、第１の実施形態と同様に、脚部２１ｂが、下部ユニット２１の側壁２１ｂ下端から内側に延設されているため、屋上スラブ貫通ユニット２０（下部ユニット２１）の形状は入隅が直角となり、前記したＪＡＳＳ８の基準を満たすものである。
また、従来の屋上配管取出し用箱体におけるフランジ部のように、外側に延設される張り出し部がないため段差がなく、既存の屋上スラブ面に設置する際にも、防水シートの施工作業を容易に行うことができる。
更に、前記中間ユニット２２の鍔２２ｂの下面には、防水層保護板１４が装着される凹部２２ｆを備えるため、防水層５を保護するための防水層保護板１４を容易に装着することができる。
【００５８】
（第４の実施形態）
次に、第４の実施形態を図１０に基づいて説明する。尚、図１乃至図８に示した部材と同一、相当する部材は、同一符号を付してその詳細な説明を省略する。
前記した第２の実施形態では、防水層保護板１４は、中間ユニット３の鍔３ｆの下面に設けられた凹部３ｆ１と、前記保護コンクリート１１上に設けられた、凹部を有する固定金具１５によって取り付けられている場合について説明した。
【００５９】
この第４実施形態にかかる屋上スラブ貫通ユニット３０では、中間ユニット３の鍔３ｆの下面にガードケース３１をビス３２で取り付け、前記ガードケース３１に防水層保護板１４の上端部が保持されるように構成されている。尚、防水層保護板１４と前記ガードケース３１との間には、充填層８が形成され、防水が図られている。
【００６０】
このように構成された第４の実施形態にあっては、前記ガードケース３１を中間ユニット３から容易に取り外すことができ、前記ガードケース３１を取り外すことにより、防水層保護板１４を容易に交換することができる。
しかも、ガードケース３１が設けられているため（第２の実施形態の鍔３ｆ１と同等の機能を発揮するため）、中間ユニット３と下部ユニット２の接合面Ｓへの水の浸入を抑制することができる。
【００６１】
（第５の実施形態）
次に、第５の実施形態を図１１に基づいて説明する。尚、図１乃至図８に示した部材と同一、相当する部材は、同一符号を付してその詳細な説明を省略する。
この第５の実施形態は、第１の実施形態における中間ユニット３の貫通穴３ｈの上方の側壁外側に庇部３５が設けられている点に特徴がある。この庇部３５は、中間ユニット３に設けられた貫通孔３ｊにボルトＢを挿通し、前記ボルトＢとナットＮを螺着することにより、中間ユニット３に固定されている。
このように、庇部３５が設けられている場合には、前記貫通穴３ｈと貫通孔３ｈと配管１６との間から屋上スラブ貫通ユニット内部に、水が浸入するのを抑制することができる。
【００６２】
上記第１乃至第５の実施形態において配管を例にとって説明したが、配管には、排気ダクト、電気・通信ケーブルダクト、ボイラの排気筒、下水管の通気管等が含まれる。また本発明は、配管を必ずしも設ける必要はなく、採光窓（上部ユニットが透明材で形成した屋上スラブ貫通ユニット）、通風孔（内部に何も配管せず、中間ユニットの側壁に貫通孔を形成した屋上スラブ貫通ユニット）としても、用いることができる。
【符号の説明】
【００６３】
１        屋上スラブ貫通ユニット
２        下部ユニット
２ａ      上部
２ｂ      下部
２ｃ      側壁
２ｄ      脚部
２ｅ      貫通孔
２ｆ      リブ
２ｇ      インサートナット（固定部）
３        中間ユニット
３ａ      上部
３ｂ      下部
３ｃ      側壁
３ｄ      脚部
３ｅ      貫通孔（被固定部）
３ｆ      鍔
３ｇ      鍔
４        上部ユニット
５        防水層
５Ａ      防水シート
６        押さえ部材
１０      断熱材
１１      保護コンクリート
１４      防水層保護板
１５      固定金具
２０      屋上スラブ貫通ユニット
２１      下部ユニット
２１ａ    側壁
２１ｂ    脚部
２１ｃ    鍔
２１ｃ１  ネジ孔
２２      中間ユニット
２２ａ    側壁
２２ｂ    第１の鍔
２２ｃ    固定部
２２ｃ１  貫通孔
２２ｄ    第２の鍔
２２ｅ    固定部
２３      上部ユニット
２３ａ    被固定部
２３ｂ    貫通孔
３５      庇部
５０      レベルアンカー
６０      スラブ（屋上スラブ）
【図１】
2018087444.tif 000003
【図２】
2018087444.tif 000004
【図３】
2018087444.tif 000005
【図４】
2018087444.tif 000006
【図５】
2018087444.tif 000007
【図６】
2018087444.tif 000008
【図７】
2018087444.tif 000009
【図８】
2018087444.tif 000010
【図９】
2018087444.tif 000011
【図１０】
2018087444.tif 000012
【図１１】
2018087444.tif 000013
【図１２】
2018087444.tif 000014
【図１３】
2018087444.tif 000015
【手続補正書】
【提出日】平成29年7月10日(2017.7.10)
【手続補正１】
【補正対象書類名】明細書
【補正対象項目名】００１２
【補正方法】変更
【補正の内容】
【００１２】
ところで、建築物の施工に関しては、国土交通省の公共建築工事標準仕様書に基づき、日本建築学会によって建築工事標準仕様書（Japanese Architectural Standard Specification：以下、ＪＡＳＳという）が制定されている。
この建築工事標準仕様書には、屋上、屋根における防水工事についてＪＡＳＳ８（建築工事標準仕様書第８章）に規定されており、防水シート（例えば、改質アスファルトシート、合成高分子系シート）を用いて、屋上スラブ貫通ユニットの防水施工する場合、前記下部枠体１０１（下部ユニット）の形状は入隅が直角であることが要求されている。尚、この入隅とは、立上りの面と水平の面が出会ってできる凹状の連続線をいう。